(57)【要約】【課題】光源装置の劣化を抑制できるプロジェクターを提供すること。【解決手段】プロジェクターは、外装筐体と、光出射面を有し、外装筐体に対して挿抜される光源装置と、光出射面に対向して配置され、光源装置から出射された光の波長に応じて、光の透過率を調整する光学部品と、光変調装置と、投射光学装置と、光学部品を収容する光学部品用筐体と、光出射面に流通する冷却気体を送出する第１ファンとを備え、光源装置の光の出射方向を第１方向とし、第１方向に直交するとともに外装筐体に対して光源装置が挿抜される方向のうち光源装置の抜取方向を第２方向とし、第１方向及び第２方向のそれぞれに対して直交する方向を第３方向とする場合、第１ファンから送出された冷却気体は、第２方向とは反対方向側から第２方向に沿って光出射面に流通して光出射面を冷却した後、光出射面から第３方向側に排出される。【選択図】図１６
2017181713.tif 000002
【特許請求の範囲】
【請求項１】
外装を構成する外装筐体と、
光を外部に出射する光出射面を有し、前記外装筐体に対して挿抜される光源装置と、
前記光出射面に対向して配置され、前記光源装置から出射された光の波長に応じて、光の透過率を調整する光学部品と、
前記光源装置から出射された光を変調する光変調装置と、
前記光変調装置により変調された光を投射する投射光学装置と、
前記光学部品を収容する光学部品用筐体と、
前記光出射面に流通する冷却気体を送出する第１ファンと、を備え、
前記光源装置の光の出射方向を第１方向とし、前記第１方向に直交するとともに前記外装筐体に対して前記光源装置が挿抜される方向のうち前記光源装置の抜取方向を第２方向とし、前記第１方向及び前記第２方向のそれぞれに対して直交する方向を第３方向とする場合、前記第１ファンから送出された冷却気体は、前記第２方向とは反対方向側から前記第２方向に沿って前記光出射面に流通して前記光出射面を冷却した後、前記光出射面から前記第３方向側に排出されることを特徴とするプロジェクター。
【請求項２】
請求項１に記載のプロジェクターにおいて、
前記光学部品は、所定波長の光の少なくとも一部を反射させるフィルターであり、
前記光学部品は、前記第２方向側の端部が、前記第２方向とは反対方向側の端部より前記光出射面に近くなるように傾斜して配置されていることを特徴とするプロジェクター。
【請求項３】
請求項１又は請求項２に記載のプロジェクターにおいて、
前記光源装置に冷却気体を送出する第２ファンを備え、
前記光学部品用筐体は、前記光学部品が前記光出射面に対向する位置から前記第３方向に沿って移動されて配置される配置部を有し、
前記第２ファンは、前記光源装置に対して前記第３方向とは反対方向側に配置され、
前記配置部は、前記光源装置から出射される光の中心軸に対して前記第３方向側に位置することを特徴とするプロジェクター。
【請求項４】
請求項１から請求項３のいずれか一項に記載のプロジェクターにおいて、
前記光源装置は、
発光管と、
前記発光管の中心軸が前記第１方向に沿うように前記発光管を収容する収容体と、を備え、
前記収容体は、
前記光出射面を有し、前記発光管を収容する収容体本体と、
前記発光管の中心軸を中心とする周方向に沿って前記収容体本体に設けられ、内部に導入された冷却気体を前記発光管に導くダクト部材と、を備え、
前記ダクト部材の終端部分は、前記収容体本体の前記第２方向側の側面部において前記発光管の前記第１方向における中心より前記第１方向側に位置していることを特徴とするプロジェクター。
【請求項５】
請求項４に記載のプロジェクターにおいて、
前記光源装置は、
前記発光管から出射された光を平行化する平行化レンズと、
前記平行化レンズを前記光出射面に取り付ける取付部材と、を備え、
前記収容体本体は、前記ダクト部材の終端部分に対して前記第３方向側及び前記第３方向とは反対方向側の少なくともいずれかに位置し、前記取付部材を係止する係止部を有することを特徴とするプロジェクター。
【請求項６】
請求項１から請求項５のいずれか一項に記載のプロジェクターにおいて、
前記第１ファンは、前記光学部品用筐体と、前記外装筐体の外面部のうち前記第２方向とは反対方向側の外面部との間に配置されていることを特徴とするプロジェクター。
【請求項７】
請求項１から請求項６のいずれか一項に記載のプロジェクターにおいて、
前記光源装置は、
前記光出射面において前記第３方向とは反対方向側で、かつ、前記第２方向側に位置し、前記光学部品用筐体に固定される固定部と、
前記光出射面において前記第３方向とは反対方向側で、かつ、前記第２方向とは反対方向側に位置し、前記光学部品用筐体に挿入される位置決め突起と、
前記光出射面において前記固定部及び前記位置決め突起の間に前記第２方向に沿って配置され、前記光学部品用筐体に挿入される突条部と、を有することを特徴とするプロジェクター。
【請求項８】
請求項１から請求項７のいずれか一項に記載のプロジェクターにおいて、
前記光源装置は、
前記第３方向側で、かつ、前記第２方向側に位置し、前記光学部品用筐体に挿入される挿入部と、
前記光出射面における前記第３方向側の部位に凹状に形成され、前記光出射面を冷却した冷却気体を排出する排出部と、を有することを特徴とするプロジェクター。
【請求項９】
請求項８に記載のプロジェクターにおいて、
前記外装筐体内における前記光源装置に対する前記第３方向側に位置し、前記排出部を介して排出されて導入された冷却気体を、前記外装筐体外に排出する排気ダクトを備えることを特徴とするプロジェクター。
【請求項１０】
請求項１から請求項９のいずれか一項に記載のプロジェクターにおいて、
前記光源装置は、前記光出射面において前記第２方向側の部位に位置し、前記光学部品用筐体に接続される接続部を有することを特徴とするプロジェクター。
【請求項１１】
請求項１から請求項１０のいずれか一項に記載のプロジェクターにおいて、
前記第１ファンから送出された冷却気体が導入されるダクトを備え、
前記ダクトは、
導入された前記冷却気体の一部を前記光出射面における前記第２方向とは反対方向側の部位に導いて前記光出射面に送出する第１送出口と、
導入された前記冷却気体の他の一部を前記光学部品に導く第２送出口と、を有することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えたプロジェクターが知られている。このようなプロジェクターとして、光源装置から出射された光の光路上に位置し、入射される光に含まれる紫外線を吸収するＵＶフィルターを備えたプロジェクターが知られている（例えば、特許文献１参照）。
【０００３】
この特許文献１に記載のプロジェクターでは、ＵＶフィルターは、光源装置から出射された光の中心軸に対する直交面に対して傾斜して配置されている。このようにＵＶフィルターが傾斜して配置されていることにより、入射された一部の光が戻り光となって、光源装置が有する光源ランプ（発光管）に入射され、当該光源ランプの温度が上昇することが抑制されている。なお、特許文献１では、ＵＶフィルターの光路後段に配置されたシネマフィルターも、上記直交面に対して傾斜して配置されている。
【先行技術文献】
【特許文献】
【０００４】
【特許文献１】特開２０１５−１６９８６８号公報
【発明の概要】
【発明が解決しようとする課題】
【０００５】
ここで、上記特許文献１に記載のプロジェクターの構成において、ＵＶフィルターやシネマフィルター等の上記直交面に対して傾斜した光学部品が、光源装置に比較的近い位置に配置されていると、当該光学部品にて反射された光（戻り光）は、光源装置の光出射面に入射される可能性がある。このような場合、光出射面が高温となり、当該光出射面が劣化する可能性がある。このような劣化が生じた場合、当該光出射面が歪み、光源装置から出射される光の中心軸が設計上の光軸からずれる可能性がある。
【０００６】
本発明は、上記課題の少なくとも一部を解決することを目的としたものであり、光源装置の劣化を抑制できるプロジェクターを提供することを目的の１つとする。
【課題を解決するための手段】
【０００７】
本発明の一態様に係るプロジェクターは、外装を構成する外装筐体と、光を外部に出射する光出射面を有し、前記外装筐体に対して挿抜される光源装置と、前記光出射面に対向して配置され、前記光源装置から出射された光の波長に応じて、光の透過率を調整する光学部品と、前記光源装置から出射された光を変調する光変調装置と、前記光変調装置により変調された光を投射する投射光学装置と、前記光学部品を収容する光学部品用筐体と、前記光出射面に流通する冷却気体を送出する第１ファンと、を備え、前記光源装置の光の出射方向を第１方向とし、前記第１方向に直交するとともに前記外装筐体に対して前記光源装置が挿抜される方向のうち前記光源装置の抜取方向を第２方向とし、前記第１方向及び前記第２方向のそれぞれに対して直交する方向を第３方向とする場合、前記第１ファンから送出された冷却気体は、前記第２方向とは反対方向側から前記第２方向に沿って前記光出射面に流通して前記光出射面を冷却した後、前記光出射面から前記第３方向側に排出されることを特徴とする。
【０００８】
上記一態様によれば、第１ファンから送出された冷却気体は、外装筐体からの光源装置の抜取方向である第２方向とは反対方向側から光出射面に流通される。そして、当該冷却気体は、第２方向に沿って光出射面を流通して当該光出射面を冷却した後、上記第１方向及び第２方向のそれぞれに直交する第３方向側に光出射面から排出される。これによれば、当該冷却気体によって、光出射面を冷却できる。従って、光出射面、ひいては、光源装置の温度上昇を抑制でき、当該光源装置の劣化を抑制できる。特に、光出射面に対向配置される光学部品にて光源装置から出射された光の一部が反射され、当該反射光が光出射面に入射される場合では、当該光出射面を上記冷却気体により冷却できることから、当該光出射面、ひいては、光源装置を効果的に冷却できる。
【０００９】
上記一態様では、前記光学部品は、所定波長の光の少なくとも一部を反射させるフィルターであり、前記光学部品は、前記第２方向側の端部が、前記第２方向とは反対方向側の端部より前記光出射面に近くなるように傾斜して配置されていることが好ましい。
ここで、上記フィルターである光学部品は上記のように傾斜していると、当該光学部品にて反射された反射光は、光源装置が有する光源（例えば発光管や固体光源）に戻りにくくなるため、当該光源が当該反射光によって加熱されることが抑制される。しかしながら、当該反射光は、光出射面において上記第２方向とは反対方向側の部位に入射されやすくなるため、当該光出射面においては、第２方向とは反対方向側の部位の温度が他の部位に比べて高くなりやすい。
これに対し、上記第１ファンから送出された冷却気体は、光出射面において第２方向とは反対方向側から第２方向に沿って流通する。これよれば、光出射面に沿って流通する前の比較的温度が低い冷却気体によって、当該光出射面において温度が高くなりやすい部位を冷却できる。従って、光出射面、ひいては、光源装置を効果的に冷却できる。
【００１０】
上記一態様では、前記光源装置に冷却気体を送出する第２ファンを備え、前記光学部品用筐体は、前記光学部品が前記光出射面に対向する位置から前記第３方向に沿って移動されて配置される配置部を有し、前記第２ファンは、前記光源装置に対して前記第３方向とは反対方向側に配置され、前記配置部は、前記光源装置から出射される光の中心軸に対して前記第３方向側に位置することが好ましい。
このような構成によれば、第２ファンは、光源装置に対して上記第３方向とは反対方向側に配置され、上記配置部は、光源装置から出射される光の中心軸に対して前記第３方向側に位置する。そして、光源装置は、外装筐体から第２方向に沿って抜き取られる。このように、光源装置の周囲に、プロジェクターの構成部品が配置されると、当該構成部品を密に配置できる反面、光出射面を冷却する冷却気体の流路が制限される。
これに対し、第１ファンから送出された冷却気体は、上記のように第２方向とは反対方向側から光出射面に流通されて、当該光出射面を冷却した後、第３方向側に排出されることから、当該光出射面を冷却する冷却気体の流路を確保できる。従って、光出射面、ひいては、光源装置を確実に冷却できる。
【００１１】
上記一態様では、前記光源装置は、発光管と、前記発光管の中心軸が前記第１方向に沿うように前記発光管を収容する収容体と、を備え、前記収容体は、前記光出射面を有し、前記発光管を収容する収容体本体と、前記発光管の中心軸を中心とする周方向に沿って前記収容体本体に設けられ、内部に導入された冷却気体を前記発光管に導くダクト部材と、を備え、前記ダクト部材の終端部分は、前記収容体本体の前記第２方向側の側面部において前記発光管の前記第１方向における中心より前記第１方向側に位置していることが好ましい。
このような構成によれば、収容体が、発光管を収容する収容体本体と、当該収容体本体に設けられるダクト部材とを備え、当該ダクト部材の終端部分は、収容体本体の第２方向側の側面部に位置している。これによれば、ダクト部材内に導入された冷却気体は、収容体本体における第２方向側から発光管に導かれる。このため、第２方向側の側面部が発光管に対して鉛直方向上側に位置している場合に、当該発光管において温度が高くなりやすい鉛直方向上部に、当該ダクト部材の終端部分によって、冷却気体を導くことができる。従って、当該発光管を効果的に冷却できる。
【００１２】
また、上記ダクト部材の終端部分が第２方向側の側面部において、発光管の第１方向における中心より第１方向側に位置している。このことから、上記収容体の構成では、光出射面を冷却した冷却気体を第２方向側に排出しようとすると、当該冷却気体の流路が上記ダクト部材によって遮られるため、当該冷却気体を効率よく排出しづらい。これに対し、光出射面を冷却した冷却気体は第３方向側に排出されるので、ダクト部材によって遮られることなく、当該冷却気体を排出できる。従って、当該冷却気体を効率よく排出でき、これにより、光出射面を効率よく冷却できる。
【００１３】
上記一態様では、前記光源装置は、前記発光管から出射された光を平行化する平行化レンズと、前記平行化レンズを前記光出射面に取り付ける取付部材と、を備え、前記収容体本体は、前記ダクト部材の終端部分に対して前記第３方向側及び前記第３方向とは反対方向側の少なくともいずれかに位置し、前記取付部材を係止する係止部を有することが好ましい。
このような構成によれば、平行化レンズを光出射面に取り付ける取付部材を係止する係止部が、ダクト部材の終端部分に対して第３方向側及び第３方向とは反対方向側の少なくともいずれかに位置する。これによれば、当該係止部が、ダクト部材の終端部分に対して第１方向側に位置する場合に比べて、当該終端部分を第１方向側に一層拡大できる。このため、当該終端部分内の空間を拡大できるので、ダクト部材内を流通する冷却気体の流路抵抗を低減でき、当該冷却気体の流量、ひいては、発光管に送出される冷却気体の流量を増加させることができる。従って、発光管をより効果的に冷却でき、当該発光管の劣化をより効果的に抑制できる。
【００１４】
上記一態様では、前記第１ファンは、前記光学部品用筐体と、前記外装筐体の外面部のうち前記第２方向とは反対方向側の外面部との間に配置されていることが好ましい。
このような構成によれば、第１ファンが上記のように配置されていることにより、光出射面において第２方向とは反対方向側の部位に冷却気体を送出しやすい位置に第１ファンを配置できる。この他、外装筐体内のスペースを有効に活用して第１ファンを配置できるので、外装筐体の大型化を抑制できる。
【００１５】
上記一態様では、前記光源装置は、前記光出射面において前記第３方向とは反対方向側で、かつ、前記第２方向側に位置し、前記光学部品用筐体に固定される固定部と、前記光出射面において前記第３方向とは反対方向側で、かつ、前記第２方向とは反対方向側に位置し、前記光学部品用筐体に挿入される位置決め突起と、前記光出射面において前記固定部及び前記位置決め突起の間に前記第２方向に沿って配置され、前記光学部品用筐体に挿入される突条部と、を有することが好ましい。
このような構成によれば、光源装置において第３方向とは反対方向側に、固定部、位置決め突起及び突条部が位置し、当該突条部は、光学部品用筐体に挿入される。これによれば、光学部品用筐体に光源装置を確実に取り付けることができる。
ここで、光出射面に流通された冷却気体は、突条部が光学部品用筐体に挿入されることにより、第３方向とは反対方向側への流通が規制される。これに対し、当該冷却気体は、第３方向側に流通して排出されるので、当該冷却気体を滞りなく光出射面から排出できる。従って、冷却気体を円滑に流通させることができ、光出射面、ひいては、光源装置を効率よく冷却できる。
【００１６】
上記一態様では、前記光源装置は、前記第３方向側で、かつ、前記第２方向側に位置し、前記光学部品用筐体に挿入される挿入部と、前記光出射面における前記第３方向側の部位に凹状に形成され、前記光出射面を冷却した冷却気体を排出する排出部と、を有することが好ましい。
このような構成によれば、第２方向とは反対方向側に向かって光源装置を外装筐体に挿入する際に、挿入部を光学部品用筐体に挿入しやすくすることができる。また、このように、挿入部が光学部品用筐体に挿入されることにより、光源装置を光学部品用筐体に対して位置決めできる。従って、光源装置を光学部品用筐体に取り付けやすくすることができる。そして、光出射面において冷却気体の排出側である第３方向側の部位には、凹状に形成された排出部が位置する。これによれば、挿入部が光学部品用筐体に挿入されて、光出射面と光学部品用筐体とが互いに近い位置に対向配置されても、当該排出部を介して、光出射面に沿って流通して当該光出射面を冷却した冷却気体を確実に第３方向側に排出できる。従って、当該冷却気体を滞りなく光出射面から排出でき、冷却気体を円滑に流通させることができるので、光出射面、ひいては、光源装置を効率よく冷却できる。
【００１７】
上記一態様では、前記外装筐体内における前記光源装置に対する前記第３方向側に位置し、前記排出部を介して排出されて導入された冷却気体を、前記外装筐体外に排出する排気ダクトを備えることが好ましい。
このような構成によれば、上記排気ダクトが、光源装置に対する第３方向側に位置することにより、光出射面を冷却して第３方向側に排出された冷却気体を排気ダクト内に流通させやすくすることができる。このため、当該冷却気体が外装筐体内にて拡散されることを抑制でき、熱を帯びた冷却気体を速やかに外装筐体外に排出できる。従って、光源装置を効率よく冷却できる他、外装筐体内の温度を低く維持でき、外装筐体内に配置されたプロジェクターの構成部品に熱が伝導されることを抑制できる。
【００１８】
上記一態様では、前記光源装置は、前記光出射面において前記第２方向側の部位に位置し、前記光学部品用筐体に接続される接続部を有することが好ましい。
このような構成によれば、光出射面において第２方向側に位置する接続部が光学部品用筐体に接続されることにより、当該光学部品用筐体に精度よく光源装置を組み合わせることができる。
そして、上記のように、光出射面を冷却した冷却気体は、当該光出射面において第３方向側に流通して排出されるので、上記接続部が設けられている場合でも、当該冷却気体を光出射面から滞りなく排出できる。
【００１９】
上記一態様では、前記第１ファンから送出された冷却気体が導入されるダクトを備え、前記ダクトは、導入された前記冷却気体の一部を前記光出射面における前記第２方向とは反対方向側の部位に導いて前記光出射面に送出する第１送出口と、導入された前記冷却気体の他の一部を前記光学部品に導く第２送出口と、を有することが好ましい。
このような構成によれば、第１ファンから送出された冷却気体の一部が、第１送出口を介して光出射面に送出され、他の一部が、第２送出口を介して上記光学部品に送出される。これによれば、これら光源装置及び光学部品に冷却気体を確実に送出できる。従って、これら光源装置及び光学部品を確実に冷却できる。
【図面の簡単な説明】
【００２０】
【図１】本発明の一実施形態に係るプロジェクターの外観を示す斜視図。
【図２】上記実施形態における装置本体を示す斜視図。
【図３】上記実施形態における画像形成装置の構成を示す模式図。
【図４】上記実施形態における部品収納部材を示す斜視図。
【図５】上記実施形態における部品収納部材を示す斜視図。
【図６】上記実施形態における光源装置を示す斜視図。
【図７】上記実施形態における光源装置を示す斜視図。
【図８】上記実施形態における光源装置を示す斜視図。
【図９】上記実施形態における収容体の正面部を示す図。
【図１０】上記実施形態における収容体の右側面部を示す図。
【図１１】上記実施形態における第１ダクト部を取り外した収容体を示す斜視図。
【図１２】上記実施形態における光学部品用筐体、ファン、ダクト及び光源装置を示す側面図。
【図１３】上記実施形態におけるダクトを示す斜視図。
【図１４】上記実施形態におけるダクトを示す平面図。
【図１５】上記実施形態における光学部品用筐体、ファン、ダクト及び光源装置を示す断面図。
【図１６】上記実施形態における光源装置の光出射面での冷却気体の流路を示す図。
【図１７】上記実施形態における排気ダクトを示す図。
【発明を実施するための形態】
【００２１】
以下、本発明の一実施形態について、図面に基づいて説明する。
［プロジェクターの外観構成］
図１は、本実施形態に係るプロジェクター１の外観を示す斜視図である。
本実施形態に係るプロジェクター１は、内部に設けられた光源装置４１（図２参照）から出射された光を変調して画像情報に応じた画像を形成し、当該画像をスクリーン等の被投射面上に拡大投射する画像表示装置である。このプロジェクター１は、図１に示すように、外装を構成する外装筐体２と、当該外装筐体２内に収容される装置本体３（図２参照）と、を備える。
そして、詳しくは後述するが、プロジェクター１は、光源装置４１の光出射面４１Ａ（図２参照）に冷却気体を流通させ、当該光出射面４１Ａを冷却する点を特徴の１つとしている。
以下、プロジェクター１の各構成について説明する。
【００２２】
［外装筐体の構成］
外装筐体２は、当該外装筐体２の上部を構成するアッパーケース２Ａと、下部を構成するロアーケース２Ｂと、正面部を構成するフロントケース２Ｃと、背面部を構成するリアケース２Ｄと、を備え、これらが組み合わされて全体略直方体形状に形成されている。この外装筐体２は、天面部２１、底面部２２、正面部２３、背面部２４、左側面部２５及び右側面部２６を有する。そして、天面部２１は、アッパーケース２Ａと、フロントケース２Ｃの一部とによって構成され、底面部は、ロアーケース２Ｂによって構成され、正面部２３は、フロントケース２Ｃによって構成され、背面部２４は、リアケース２Ｄによって構成されている。また、左側面部２５及び右側面部２６は、それぞれ、各ケース２Ａ〜２Ｃの一部により構成されている。
【００２３】
天面部２１における背面部２４側及び左側面部２５側の位置には、後述する光源装置４１を挿抜するための開口部２１１が形成され、当該開口部２１１は左側面部２５側にスライド可能に設けられるランプカバー２１２によって閉塞される。すなわち、光源装置４１は、底面部２２側から天面部２１側に向かって外装筐体２内から引き抜かれる。
底面部２２には、設置面に当接される脚部２２１（図１では１つの脚部２２１のみ図示）が設けられている。
正面部２３の略中央には、後述する投射光学装置４６の一部を露出させ、画像が通過する開口部２３１が形成されている。また、正面部２３における右側面部２６側の部位には吸気口２３２が形成され、左側面部２５側の部位には排気口２３３が形成されている。
【００２４】
なお、以下の説明では、互いに直交する＋Ｘ方向、＋Ｙ方向及び＋Ｚ方向のうち、＋Ｚ方向を背面部２４から正面部２３に向かう方向とし、＋Ｙ方向を底面部２２から天面部２１に向かう方向とし、＋Ｘ方向を左側面部２５から右側面部２６に向かう方向とする。また、＋Ｚ方向とは反対方向を−Ｚ方向とする。−Ｘ方向及び−Ｙ方向も同様である。
このように各方向を規定した場合、プロジェクター１による画像の投射方向は、＋Ｙ方向側から見て＋Ｚ方向に沿う方向となる。また、詳しくは後述するが、光源装置４１の光の出射方向は、＋Ｘ方向に沿う方向となり、当該光源装置４１の外装筐体からの抜取方向は、＋Ｙ方向となる。このため、＋Ｘ方向は、本発明の第１方向に相当し、＋Ｙ方向は、本発明の第２方向に相当し、＋Ｚ方向は、本発明の第３方向に相当する。
【００２５】
［装置本体の構成］
図２は、外装筐体２内に配置された装置本体３を示す斜視図である。なお、図２においては、外装筐体２のうち、ロアーケース２Ｂのみを図示している。
装置本体３は、プロジェクター１の本体を構成する。この装置本体３は、図２に示すように、画像形成装置４、電源装置６及び冷却装置７を備える。この他、図示を省略するが、装置本体３は、プロジェクター１の動作を制御する制御装置を備える。
これらのうち、電源装置６は、外装筐体２内の空間において画像形成装置４と背面部２４の内面との間に、＋Ｘ方向に沿って配置されている。この電源装置６は、電源ブロック６１と、いわゆるバラストである光源駆動装置６２と、を備える。
電源ブロック６１は、底面部２２に配設されたインレットコネクター（図示省略）に接続される電源ケーブルＣＡを介して外部から供給される商用交流電流を直流電流に変換した後、昇圧及び降圧した電流を、各電子部品に供給する。
光源駆動装置６２は、電源ブロック６１に対して−Ｘ方向側に位置し、当該電源ブロック６１から供給される電流を光源装置４１に供給して、当該光源装置４１を点灯させる。
【００２６】
［画像形成装置の構成］
図３は、画像形成装置４の構成を示す模式図である。
画像形成装置４は、上記制御装置による制御の下、画像情報に応じた画像を形成及び投射する。この画像形成装置４は、図３に示すように、光源装置４１、照明光学装置４２、色分離装置４３、リレー装置４４、電気光学装置４５、投射光学装置４６及び光学部品用筐体４７を備え、これらが組み合わされて＋Ｘ方向及び＋Ｚ方向に沿う略Ｌ字状の光学ユニットとして構成されている。
【００２７】
光源装置４１は、照明光学装置４２に向けて＋Ｘ方向に光を出射する。この光源装置４１は、発光管４１１、主反射鏡４１２、平行化レンズ４１３及び収容体５を有する。
発光管４１１は、後述する光源駆動装置６２から供給される点灯電力（ランプ電力）によって点灯する光源ランプであり、中心軸が＋Ｘ方向に沿うように配置される。この発光管４１１は、発光部４１１１と、当該発光部４１１１から＋Ｘ方向に延出する封止部４１１２と、−Ｘ方向に延出する封止部４１１３と、を有する。
発光部４１１１は、＋Ｘ方向における発光管４１１の略中央に位置する。この発光部４１１１内には、放電物質及び一対の電極が封入されて当該一対の電極間で放電発光する放電空間が形成されている。なお、一対の電極は、それぞれ、封止部４１１２，４１１３内に配置される電極線に接続されている。
【００２８】
主反射鏡４１２は、封止部４１１３に取り付けられた反射鏡である。この主反射鏡４１２は、凹曲面状を有する反射面４１２Ａを有し、当該反射面４１２Ａの内側には、上記発光部４１１１が位置する。このような主反射鏡４１２は、当該発光部４１１１から入射される光を、平行化レンズ４１３側に反射させる。
平行化レンズ４１３は、入射される光束を平行化して出射するレンズである。この平行化レンズ４１３は、収容体５の正面部５３に、取付部材５Ｅ（図６参照）によって取り付けられる。
なお、収容体５の構成については、後に詳述する。
【００２９】
照明光学装置４２は、光源装置４１から出射された光束の中心軸に対する直交面内の照度を均一化する。この照明光学装置４２は、光源装置４１からの光束の入射順に、シネマフィルター４２１、第１レンズアレイ４２２、調光装置４２３、第２レンズアレイ４２４、偏光変換素子４２５及び重畳レンズ４２６を有する。
シネマフィルター４２１は、フィルター本体４２１１と、当該フィルター本体４２１１を光源装置４１から出射された光束の中心軸に対する直交方向（±Ｚ方向）に進退させて当該光束の通過領域内に挿抜する駆動装置（図示省略）と、を有する。すなわち、シネマフィルター４２１は、フィルター本体４２１１が光束の光路上に配置される状態（光出射面４１Ａに対向して配置される状態）と、当該光束の光路から外れた状態とに切り替え可能に構成されている。そして、フィルター本体４２１１は、＋Ｚ方向側に移動して当該光路から外れた状態では、光学部品用筐体４７を構成する部品収納部材４８の後述する配置部４８６に配置される。
このフィルター本体４２１１は、上記中心軸に対する直交面（後述するＹＺ平面）に対して傾斜して配置されている。詳述すると、フィルター本体４２１１は、＋Ｙ方向側の端部が−Ｙ方向側の端部より光源装置４１に近くなるように傾斜して配置されている。そして、フィルター本体４２１１は、傾斜した状態で進退される。このフィルター本体４２１１は、所定波長帯の光の透過率が調整されたフィルターであり、当該フィルター本体４２１１を透過しなかった光の少なくとも一部は、当該フィルター本体４２１１にて反射される。このようなシネマフィルター４２１は、本発明の光学部品に相当する。
【００３０】
第１レンズアレイ４２２及び第２レンズアレイ４２４は、互いに対応する複数の小レンズを有する。そして、第１レンズアレイ４２２は、入射される光束を複数の部分光束に分割し、第２レンズアレイ４２４は、重畳レンズ４２６とともに、当該複数の部分光束を後述する液晶パネル４５３の被照明領域（画像形成領域）に重畳させる。
調光装置４２３は、第１レンズアレイ４２２から第２レンズアレイ４２４に入射される光束の光路上に挿抜される一対の遮蔽部材４２３１（図１４及び図１５参照）を有し、当該一対の遮蔽部材４２３１の光路への挿入量に応じて、第２レンズアレイ４２４に入射される光の光量を調整する。
偏光変換素子４２５は、入射される光束の偏光方向を揃える機能を有する。
【００３１】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００３２】
電気光学装置４５は、分離された各色光を画像情報に応じてそれぞれ変調した後、当該各色光を合成する。この電気光学装置４５は、色光毎にそれぞれ設けられるフィールドレンズ４５１、入射側偏光板４５２、光変調装置としての液晶パネル４５３（赤、緑及び青用の液晶パネルをそれぞれ４５３Ｒ，４５３Ｇ，４５３Ｂとする）及び出射側偏光板４５４と、変調された各色光を合成して投射画像を形成する色合成装置としてのクロスダイクロイックプリズム４５５と、を有する。
投射光学装置４６は、形成された投射画像を＋Ｚ方向に沿って拡大投射して、当該投射画像を上記被投射面上に表示させる。この投射光学装置４６は、複数のレンズ（図示省略）と、当該複数のレンズを内部に収納する鏡筒４６１とを備えた組レンズとして構成されている。
【００３３】
［光学部品用筐体の構成］
光学部品用筐体４７は、図２に示すように、光源装置４１が配置される光源収納部４７Ａと、上記シネマフィルター４２１等の上記光学部品が内部に配置される部品収納部材４８と、当該部品収納部材４８と組み合わされる蓋状部材４７Ｂと、部品収納部材４８と組み合わされ、投射光学装置４６を支持する支持部材４７Ｃと、を備える。
このような光学部品用筐体４７の内部には、図３に示すように、設計上の光軸である照明光軸Ａｘが設定されており、上記各装置４１〜４６は、当該照明光軸Ａｘにおける所定位置に配置される。このため、光源装置４１が光源収納部４７Ａに配置され、部品収納部材４８に取り付けられた際には、当該光源装置４１から出射される光の中心軸は、照明光軸Ａｘと一致する。
【００３４】
［部品収納部材の構成］
図４及び図５は、部品収納部材４８を示す斜視図である。詳述すると、図４は、部品収納部材４８を−Ｘ方向側で、かつ、＋Ｙ方向側及び−Ｚ方向側から見た斜視図であり、図５は、部品収納部材４８を−Ｘ方向側で、かつ、＋Ｙ方向側及び＋Ｚ方向側から見た斜視図である。なお、図４及び図５においては、見易さを考慮して、溝部４８２及び係止部４８３のそれぞれの一部にのみ符号を付す。
部品収納部材４８は、図４及び図５に示すように、＋Ｙ方向側から見て略Ｕ字状の箱状部材である。この部品収納部材４８は、＋Ｙ方向側に開口し、かつ、上記照明光学装置４２、色分離装置４３及びリレー装置４４を構成する各光学部品と、フィールドレンズ４５１を内部に配置するための開口部４８１を有する。そして、部品収納部材４８は、これら光学部品が挿入されて配置される複数の溝部４８２と、他の光学部品を係止する複数の係止部４８３と、を内部に有する。なお、開口部４８１は、上記蓋状部材４７Ｂによって閉塞される。
【００３５】
また、部品収納部材４８は、光出射側の部位に、開口部４８４を有する他、支持部材４７Ｃが取り付けられる略Ｕ字状の取付部４８５を有する。
更に、部品収納部材４８は、光入射側の部位の内側に、上記シネマフィルター４２１が配置される配置部４８６を有する他、当該光入射側の部位に、光源装置４１が取り付けられる光源取付部４９を有する。なお、この配置部４８６は、シネマフィルター４２１（フィルター本体４２１１）が＋Ｚ方向側に移動されて、光源装置４１から出射された光の光路上から退避された際に、当該シネマフィルター４２１が配置される部位である。このため、部品収納部材４８において、配置部４８６は、図３〜図５に示すように、当該光路（換言すると、光源装置４１から出射された光の中心軸）に対して＋Ｚ方向側に位置する。
【００３６】
［光源取付部の構成］
光源取付部４９は、当接部４９１、通過口４９２、開口部４９３、突出部４９４、孔部４９５、ガイド部４９６、固定部４９７、溝部４９８及び起立部４９９を有する。
当接部４９１は、光源取付部４９に取り付けられた光源装置４１の光出射面４１Ａ（後述する収容体５の正面部５３）に対向する位置に「８」字状に形成されており、当該光出射面４１Ａの一部の構成が当接する。この当接部４９１は、略矩形枠状に形成された枠部４９１１と、＋Ｚ方向に沿い、かつ、当該枠部４９１１内の空間を＋Ｙ方向に二分割する分割部４９１２と、を有する。これらのうち、枠部４９１１において＋Ｚ方向に沿う＋Ｙ方向側の部位は、光出射面４１Ａを構成する取付部材５Ｅの接続部５Ｅ４（図９参照）が当接する当接部である。
【００３７】
通過口４９２は、分割部４９１２によって二分割された枠部４９１１内の開口部のうち、＋Ｙ方向側に位置する開口部である。この通過口４９２には、光源装置４１から出射された光が通過する。
開口部４９３は、分割部４９１２によって二分割された枠部４９１１内の開口部のうち、−Ｙ方向側に位置する開口部である。この開口部４９３を介して、後述するダクト７６（図１２〜図１５参照）から送出された冷却気体が、光源装置４１の光出射面４１Ａに流通する。
【００３８】
突出部４９４は、光源取付部４９において−Ｙ方向側の位置で、かつ、＋Ｚ方向側及び−Ｚ方向側の部位に、＋Ｙ方向側に突出するようにそれぞれ形成されている。
孔部４９５は、各突出部４９４における＋Ｙ方向側の面に形成されている。これら孔部４９５には、後述する位置決め突起５３２（図６参照）が＋Ｙ方向側から挿入される。
ガイド部４９６は、上記枠部４９１１における−Ｚ方向側の端部から、−Ｘ方向側に起立しており、−Ｚ方向側に位置する突出部４９４から、枠部４９１１における＋Ｙ方向側の端部を超えた位置まで＋Ｙ方向に沿って延出している。詳述すると、ガイド部４９６は、当該突出部４９４と一体的に形成されている。このガイド部４９６は、＋Ｚ方向側の面に、−Ｙ方向側の端部から＋Ｙ方向側の端部に亘って形成された溝部４９６１を有し、当該溝部４９６１には、光源取付部４９に光源装置４１が取り付けられる際に、当該光源装置４１の後述する突条部５３３１が＋Ｙ方向側から挿入される。これにより、光源取付部４９への＋Ｙ方向側からの光源装置４１の取付が案内される。
【００３９】
固定部４９７は、当接部４９１より＋Ｙ方向側で、かつ、当該当接部４９１より＋Ｚ方向側及び−Ｚ方向側のそれぞれの部位に設けられている。これらのうち、−Ｚ方向側に位置する固定部４９７は、上記ガイド部４９６と一体的に形成され、＋Ｚ方向側に位置する固定部４９７は、後述する起立部４９９と一体的に形成されている。これら固定部４９７における＋Ｙ方向側の面には、ねじ孔４９７１がそれぞれ形成されている。これら固定部４９７における＋Ｙ方向側の面には、上記孔部４９５に位置決め突起５３２が挿入された際に、光源装置４１の後述する固定部５３５（図６参照）がそれぞれ＋Ｙ方向側から当接される。そして、固定部５３５を挿通したねじＳＣがねじ孔４９７１に螺合することにより、光源取付部４９に光源装置４１が固定される。
【００４０】
溝部４９８は、上記固定部４９７のうち＋Ｚ方向側の固定部４９７に形成されている。具体的に、溝部４９８は、当該＋Ｚ方向側の固定部４９７において−Ｚ方向側の面における略中央に、＋Ｙ方向に沿って形成されている。この溝部４９８には、光源取付部４９に＋Ｙ方向側から光源装置４１が取り付けられる際に、当該光源装置４１において後述する挿入部５３４が挿入される。これにより、光源取付部４９への光源装置４１の取付が案内される他、当該光源装置４１における＋Ｙ方向側の端部が光源取付部４９から離間することが抑制される。すなわち、溝部４９８に挿入部５３４が挿入されることにより、光源装置４１が光源取付部４９に位置決めされる。
【００４１】
起立部４９９は、流路変更部に相当し、上記のように、＋Ｚ方向側の固定部４９７と一体的に形成されている。この起立部４９９は、上記当接部４９１に対して＋Ｚ方向側の部位から−Ｘ方向に起立し、かつ、＋Ｙ方向に沿って延出するように形成されている。この起立部４９９は、光源装置４１の光出射面４１Ａに沿って＋Ｚ方向側に流通した冷却気体の流通方向を−Ｘ方向側に変更する。これにより、当該冷却気体が後述する排気ダクト７７に導かれやすくなる。
【００４２】
［光源装置の収容体の構成］
図６〜図８は、光源装置４１を示す斜視図である。具体的に、図６は、正面側上方から光源装置４１を見た斜視図であり、図７は、背面側上方から光源装置４１を見た斜視図であり、図８は、背面側下方から光源装置４１を見た斜視図である。
収容体５は、それぞれ上記した発光管４１１及び主反射鏡４１２を収容するとともに、上記平行化レンズ４１３が取り付けられる光源用筐体である。この収容体５は、図６〜図８に示すように、光源装置４１において光出射側（＋Ｘ方向側）に位置する第１本体部５Ｂ、及び、当該光出射側とは反対側（−Ｘ方向側）に位置する第２本体部５Ｃが組み合わされて構成される収容体本体５Ａと、収容体本体５Ａ（第１本体部５Ｂ）に取り付けられて発光管４１１に冷却気体を導くダクト部材５Ｄと、取付部材５Ｅと、を有する。
【００４３】
これらのうち、収容体本体５Ａを構成する第１本体部５Ｂ及び第２本体部５Ｃは、発光管４１１及び主反射鏡４１２を挟むように互いに組み合わされ、これにより、収容体本体５Ａ内に発光管４１１及び主反射鏡４１２が配置される。これら第１本体部５Ｂ及び第２本体部５Ｃは、ガラスフィラーが含まれる樹脂により構成されている。
【００４４】
このような収容体５は、天面部５１、底面部５２、正面部５３、背面部５４、左側面部５５及び右側面部５６を有する。これらのうち、天面部５１及び底面部５２は、収容体本体５Ａ及びダクト部材５Ｄによってそれぞれ構成される。また、正面部５３は、第１本体部５Ｂ及び取付部材５Ｅによって構成され、背面部５４は、第２本体部５Ｃによって構成される。更に、左側面部５５は、収容体本体５Ａによって構成され、右側面部５６は、収容体本体５Ａ及びダクト部材５Ｄによって構成される。
そして、光源装置４１が上記光源収納部４７Ａに配置される際には、当該光源装置４１は、天面部５１が上記天面部２１側（＋Ｙ方向側）を向き、底面部５２が上記底面部２２側（−Ｙ方向側）を向き、左側面部５５が正面部２３側（＋Ｚ方向側）を向き、右側面部５６が背面部２４側（−Ｚ方向側）を向くように配置される。すなわち、光源装置４１は、左側面部２５側（−Ｘ方向側）から右側面部２６側（＋Ｘ方向側）に光を出射する。
これらのうち、天面部５１は、図６に示すように、光源収納部４７Ａに対して光源装置４１を挿抜する際に、当該光源装置４１を把持するための把手５１１を有する。
【００４５】
［正面部の構成］
図９は、収容体５の正面部５３を示す図である。
正面部５３は、上記光出射面４１Ａを構成する。この正面部５３は、発光管４１１から出射されて主反射鏡４１２によって反射された光が通過する通過口（図示省略）を有し、当該通過口を閉塞するように、上記取付部材５Ｅによって平行化レンズ４１３が配置される。また、正面部５３は、図９に示すように、４つの係止部５３１、２つの位置決め突起５３２、ガイド部５３３、挿入部５３４、２つの固定部５３５、及び、排出部５３６を有する。
【００４６】
係止部５３１は、正面部５３における四隅近傍の部位に位置し、取付部材５Ｅを係止する。詳述すると、係止部５３１は、正面部５３における＋Ｙ方向側の部位で、かつ、＋Ｚ方向側及び−Ｚ方向側の部位にそれぞれ＋Ｙ方向側に向けて突設されている他、−Ｙ方向側の部位で、かつ、＋Ｚ方向側及び−Ｚ方向側の部位にそれぞれ−Ｙ方向側に向けて突設されている。
具体的に、＋Ｙ方向側の部位に突設された係止部５３１は、後述するダクト部材５Ｄの第１導風部５Ｄ３における折返部５Ｄ３３に対して＋Ｚ方向側及び−Ｚ方向側に位置し、−Ｙ方向側の部位に突設された係止部５３１は、同じくダクト部材５Ｄの第２導風部５Ｄ４における折返部５Ｄ４３に対して＋Ｚ方向側及び−Ｚ方向側に位置する。これら係止部５３１は、取付部材５Ｅの四隅に位置する４つの取付部５Ｅ１に形成された孔部５Ｅ２に挿入され、これにより、平行化レンズ４１３を正面部５３に押さえた状態で取付部材５Ｅを係止する。
【００４７】
ここで、取付部材５Ｅは、金属製の板バネであり、正面部５３に取り付けられた際に平行化レンズ４１３を正面部５３側に付勢して、当該平行化レンズ４１３を正面部５３に位置付ける。この取付部材５Ｅは、略Ｈ字状に形成された板バネにおける四隅部分に位置する腕部を、それぞれ−Ｘ方向側に折り曲げることにより形成される。このような取付部材５Ｅの中央には、平行化レンズ４１３を介した光が通過する円形状の開口部５Ｅ３が形成されている。
また、正面部５３に取り付けられた取付部材５Ｅにおける光出射側の面において＋Ｙ方向側の部位（すなわち、正面部５３における＋Ｙ方向側の部位）は、上記光源取付部４９の当接部４９１における＋Ｙ方向側の部位に接続（当接）される接続部５Ｅ４である。この接続部５Ｅ４が当接部４９１と当接することにより、後述するダクト７６によって−Ｙ方向側から正面部５３に送出された冷却気体が、＋Ｙ方向側に流通することが抑制される。
【００４８】
２つの位置決め突起５３２は、正面部５３における−Ｙ方向側の位置で、かつ、＋Ｚ方向側及び−Ｚ方向側の位置から、−Ｙ方向側に突出している。これら位置決め突起５３２は、上記孔部４９５に挿入される。
【００４９】
ガイド部５３３は、正面部５３における−Ｚ方向側で、かつ、−Ｙ方向側の部位から＋Ｙ方向側の部位に亘って＋Ｘ方向側に起立して形成されている。このガイド部５３３における＋Ｘ方向側の面は、上記枠部４９１１における−Ｚ方向側の部位に当接する。
このガイド部５３３における＋Ｘ方向側の端部には、−Ｚ方向側の突出する突条部５３３１が、当該ガイド部５３３に応じて形成されている。この突条部５３３１は、光源装置４１が光源収納部４７Ａに＋Ｙ方向側から挿入される際に、光源取付部４９が有する溝部４９６１に挿入され、これにより、光源装置４１が光源取付部４９に対して位置決めされる。また、このように、ガイド部５３３とガイド部４９６とが組み合わされることにより、後述するダクト７６によって−Ｙ方向側から正面部５３に送出された冷却気体が、−Ｚ方向側に流通することが抑制される。
【００５０】
挿入部５３４は、正面部５３における＋Ｙ方向側で、かつ、＋Ｚ方向側の部位から、当該＋Ｚ方向側に起立して形成されている。この挿入部５３４は、上記光源取付部４９の溝部４９８に挿入され、上記位置決め突起５３２とともに、当該光源取付部４９に対して光源装置４１を位置決めする。
【００５１】
２つの固定部５３５は、正面部５３における＋Ｙ方向側で、かつ、＋Ｚ方向側及び−Ｚ方向側の部位に位置し、それぞれ＋Ｘ方向に突出している。これら固定部５３５は、光源装置４１を上記固定部４９７に固定するねじＳＣが＋Ｙ方向側から−Ｙ方向側に向けて挿通する孔部（図示省略）を有する。これら孔部を挿通したねじＳＣが各固定部４９７のねじ孔４９７１に固定されることにより、光源収納部４７Ａ内に収納された光源装置４１は、光源取付部４９、ひいては、光学部品用筐体４７（部品収納部材４８）と組み合わされる。
【００５２】
排出部５３６は、＋Ｚ方向側にそれぞれ位置する位置決め突起５３２及び固定部５３５の間に位置する。詳述すると、排出部５３６は、取付部材５Ｅに対して＋Ｚ方向側に位置し、−Ｘ方向側に凹状に形成された凹部である。この排出部５３６は、後述するダクト７６によって−Ｙ方向側から正面部５３（光出射面４１Ａ）に送出されて当該正面部５３を冷却した冷却気体を、正面部５３から左側面部５５側（＋Ｚ方向側）に排出する部位である。このような排出部５３６を介して＋Ｚ方向側に排出された冷却気体は、上記起立部４９９によって流路が−Ｘ方向側に変更され、後述する排気ダクト７７に流入される。
【００５３】
［ダクト部材の構成］
図１０は、収容体５の右側面部５６を示す図である。
ここで、ダクト部材５Ｄについて説明する。
ダクト部材５Ｄは、図６、図９及び図１０に示すように、略Ｃ字状を有し、発光管４１１の中心軸を中心とする周方向に沿って、第１本体部５Ｂにおける＋Ｘ方向側の位置に取り付けられる。すなわち、ダクト部材５Ｄは、図９及び図１０に二点鎖線で示される発光管４１１の＋Ｘ方向における中央に位置する発光部４１１１より＋Ｘ方向側に位置し、第１本体部５Ｂの一部を−Ｚ方向側、＋Ｙ方向側及び−Ｙ方向側から覆うように取り付けられる。これにより、第１本体部５Ｂの外面とダクト部材５Ｄの内面とにより、冷却気体が流通する流路が形成される。
このようなダクト部材５Ｄは、導入口５Ｄ１、流路切替部材５Ｄ２、第１導風部５Ｄ３及び第２導風部５Ｄ４を有する。
【００５４】
導入口５Ｄ１は、−Ｚ方向側の面である右側面部５６に位置し、後述するファン７４の送出口７４２と接続される。そして、導入口５Ｄ１は、当該送出口７４２から＋Ｚ方向側に送出された冷却気体をダクト部材５Ｄの内部に導入する。
流路切替部材５Ｄ２は、導入口５Ｄ１に応じたダクト部材５Ｄの内側で、かつ、導風部５Ｄ３，５Ｄ４の分岐部分に配置されている。この流路切替部材５Ｄ２は、当該導入口５Ｄ１を介して導入された冷却気体の流通方向を変更し、これにより、当該冷却気体の流路を切り替える。このような流路切替部材５Ｄ２は、詳しい図示を省略するが、自重によって移動する移動体であり、鉛直方向下側に移動することにより、導風部５Ｄ３，５Ｄ４のうち、当該鉛直方向下側に位置するダクト部の少なくとも一部を閉塞し、鉛直方向上側に位置するダクト部に、冷却気体を主に導く。
【００５５】
第１導風部５Ｄ３及び第２導風部５Ｄ４は、それぞれ上記分岐部分から右側面部５６に沿って＋Ｙ方向側及び−Ｙ方向側に延出した後、それぞれ天面部５１及び底面部５２に沿って＋Ｚ方向側に延出している。
詳述すると、第１導風部５Ｄ３は、上記分岐部分から右側面部５６に沿って＋Ｙ方向側に延出する第１延出部５Ｄ３１と、天面部５１に沿って＋Ｚ方向側に延出する第２延出部５Ｄ３２と、当該第２延出部５Ｄ３２の終端部分に位置する折返部５Ｄ３３と、を有する。これらのうち、折返部５Ｄ３３は、天面部５１において＋Ｘ方向側の略中央に位置し、上記流路切替部材５Ｄ２によって流路が切り替えられて、第１延出部５Ｄ３１及び第２延出部５Ｄ３２に沿って流通した冷却気体を、−Ｙ方向側で、かつ、−Ｘ方向側に折り返す部位である。
【００５６】
図１１は、第１導風部５Ｄ３を取り外した収容体５を＋Ｘ方向側で、かつ、＋Ｙ方向側及び−Ｚ方向側から見た斜視図である。
ここで、折返部５Ｄ３３の内部構成について説明する。
収容体５の第１本体部５Ｂにおいて、折返部５Ｄ３３によって覆われる部位には、図１１に示すように、略Ｗ字状に＋Ｙ方向に起立する起立部５Ｂ１と、当該起立部５Ｂ１の内側に形成され、かつ、＋Ｙ方向に開口する２つの開口部５Ｂ２が形成されている。
起立部５Ｂ１は、折返部５Ｄ３３に流通した冷却気体を当該２つの開口部５Ｂ２に導くものであり、当該２つの開口部５Ｂ２は、流通した冷却気体を主に上記発光部４１１１における鉛直方向上部に送出する送出口である。
そして、図１１において点線で流路Ｆを示すように、導入口５Ｄ１から第１延出部５Ｄ３１及び第２延出部５Ｄ３２を通って折返部５Ｄ３３に到達した冷却気体は、折返部５Ｄ３３内の構造によって＋Ｘ方向側に流通した後、当該折返部５Ｄ３３における＋Ｘ方向側の内面に当たって−Ｘ方向側に折り返される。そして、折り返された冷却気体は、２つの開口部５Ｂ２から、収容体本体５Ａ内の発光管４１１に送出される。
なお、第１導風部５Ｄ３に冷却気体が流通する場合には、当該第１導風部５Ｄ３が発光管４１１に対して鉛直方向上側に位置するため、当該冷却気体は、発光管４１１（特に発光部４１１１）に対して鉛直方向上側から送出される。
【００５７】
第２導風部５Ｄ４は、第１導風部５Ｄ３と同様に、上記分岐部分から右側面部５６に沿って−Ｙ方向に延出する第１延出部５Ｄ４１と、底面部５２に沿って＋Ｚ方向に延出する第２延出部５Ｄ４２と、当該第２延出部５Ｄ４２の終端部分に位置する折返部５Ｄ４３と、を有する。これらのうち、折返部５Ｄ４３は、底面部５２において＋Ｘ方向側の略中央に位置し、当該折返部５Ｄ４３内の第１本体部５Ｂの構造は、図１１に示した上記折返部５Ｄ３３内の構造と略同じである。このような折返部５Ｄ４３は、上記折返部５Ｄ３３と同様に、第１延出部５Ｄ４１及び第２延出部５Ｄ４２に沿って流通した冷却気体を、＋Ｘ方向側に流通させた後、−Ｘ方向側に折り返す。そして、折り返された冷却気体は、当該折返部５Ｄ４３内に位置する開口部（図示省略）を介して発光管４１１に送出される。
なお、上記と同様に、第２導風部５Ｄ４に冷却気体が流通する場合には、当該第２導風部５Ｄ４が発光管４１１に対して鉛直方向上側に位置する場合であるため、当該冷却気体は、発光管４１１（特に発光部４１１１）に対して鉛直方向上側から送出される。
【００５８】
このように、ダクト部材５Ｄが、流路切替部材５Ｄ２、第１導風部５Ｄ３及び第２導風部５Ｄ４を有することにより、上記天面部２１が鉛直方向上側を向く姿勢（正置き姿勢）となるようにプロジェクター１が設置される場合でも、上記底面部２２が鉛直方向上側を向く姿勢（逆置き姿勢）となるようにプロジェクター１が設置される場合でも、発光管４１１に対して鉛直方向上側から冷却気体を当該発光管４１１に送出できる。
なお、ダクト部材５Ｄを介して送出された冷却気体は、発光部４１１１及び封止部４１１２を冷却した後、左側面部５５の排気口５５１を介して、収容体５外に排出される。
【００５９】
［右側面部の構成］
右側面部５６における正面部５３側の部位には、上記のように、ダクト部材５Ｄが取り付けられ、上記導入口５Ｄ１が位置する。また、右側面部５６における略中央には、図６、図８及び図１０に示すように、光源収納部４７Ａに配置されたコネクター（図示省略）と接続されるコネクターＣＮが設けられている。このコネクターＣＮには、供給された点灯電力を発光管４１１に供給する２つのリード線ＬＥが接続されている。
更に、右側面部５６における−Ｘ方向側（背面部５４側）の部位には、当該部位を大きく切り欠いて形成された開口部５６１が位置する。この開口部５６１は、主反射鏡４１２の背面側（−Ｘ方向側）の部位や発光管４１１の封止部４１１３を冷却する冷却気体を取り込む開口部であり、当該開口部５６１には、後述するダクト７３を流通した冷却気体の一部が導入される。
【００６０】
開口部５６１の内側には、図１０に示すように、発光管４１１における封止部４１１３の端部４１１４に冷却気体を導く整流部５６２，５６３が、互いに対向するように設けられている。詳述すると、整流部５６２，５６３は、右側面部５６に対向する位置から見て、主反射鏡４１２から光出射側（反射面４１２Ａ側）とは反対側に露出する封止部４１１３の端部４１１４を、＋Ｙ方向側及び−Ｙ方向側から挟むように配置されている。
これら整流部５６２，５６３は、＋Ｚ方向側に向かうに従って、当該端部４１１４に近接する方向に傾斜しており、最も近接する位置が、当該端部４１１４を＋Ｙ方向側及び−Ｙ方向側から挟む位置に設定されている。このため、開口部５６１から導入された冷却気体のうち、一部の冷却気体は、これら整流部５６２，５６３に沿って当該端部４１１４に流通する。このような端部４１１４には、上記のように、封止部４１１３内に位置する電極線が露出しており、当該電極線は、上記コネクターＣＮから延出するリード線と接続される。この電極線の露出部分に流通される冷却気体の流速が、上記整流部５６２，５６３により高められることから、当該露出部分（端部４１１４）の冷却効率が向上される。
【００６１】
［左側面部の構成］
左側面部５５は、図７に示すように、＋Ｘ方向側の部位に、上記ダクト部材５Ｄを介して収容体５内に導かれて発光管４１１を冷却した冷却気体を収容体５外に排出する排気口５５１を有する。この排気口５５１から排出された冷却気体は、後述する排気ダクト７７内に導入される。
また、左側面部５５は、−Ｘ方向側の部位に、上記端部４１１４や主反射鏡４１２における反射面４１２Ａ側とは反対側の部位を冷却した冷却気体を収容体５外に排出する開口部５５２を有する。この開口部５５２を介して排出される冷却気体は、上記と同様に排気ダクト７７内に取り込まれる。
【００６２】
［冷却装置の構成］
冷却装置７は、冷却気体をプロジェクター１の各構成に流通させ、当該各構成を冷却するものである。この冷却装置７は、図２に示すように、外装筐体２外の冷却気体を吸引する吸気ダクト７１及び吸気ファン（図示省略）と、電源装置６を冷却するファン７２及びダクト７３と、外装筐体２内の冷却気体を吸引して光源装置４１（ダクト部材５Ｄ）に送出するファン７４と、光学部品及び光源装置４１に冷却気体を送出するファン７５及びダクト７６（図２では図示省略）と、外装筐体２内の冷却気体を吸引して当該外装筐体２外に排出する排気ダクト７７及び排気ファン７８と、を備える。
これらのうち、吸気ダクト７１は、吸気口２３２（図１参照）に接続され、吸気ファンは、吸気ダクト７１を介して外装筐体２外から冷却気体を吸引し、当該冷却気体を電気光学装置４５及び偏光変換素子４２５に送出する。
【００６３】
ファン７２は、電源ブロック６１と光源駆動装置６２との間に配置され、これらに冷却気体を流通させる。具体的に、ファン７２は、シロッコファンで構成され、吸気口が電源ブロック６１の一端（−Ｘ方向側及び＋Ｚ方向側の端部）に対向し、送出口が光源駆動装置６２の一端（＋Ｘ方向側の端部）を向くように配置される。このようなファン７２が駆動されると、当該ファン７２の吸引力により、外装筐体２内の冷却気体が電源ブロック６１内を＋Ｘ方向側から−Ｘ方向側に流通し、これにより、当該電源ブロック６１が冷却される。また、電源ブロック６１を冷却した冷却気体は、ファン７２によって吸引され、光源駆動装置６２に送出され、当該冷却気体は、光源駆動装置６２内を＋Ｘ方向側から−Ｘ方向側に流通する。なお、ファン７２は、軸流ファンにより構成することも可能である。
【００６４】
ダクト７３は、光源装置４１と背面部２４の内面との間に、＋Ｘ方向に沿って配置される。このダクト７３は、光源駆動装置６２と接続されるとともに底面部２２の内面に取り付けられ、当該内面とダクト７３の内面とにより、光源駆動装置６２を冷却した第２冷却気体が流通する流路が形成される。このようなダクト７３は、光源駆動装置６２を冷却した冷却気体のうち、一部の冷却気体を、上記光源装置４１が有する開口部５６１に導き、他の冷却気体を、後述する排気ダクト７７に導く。
【００６５】
ファン７４は、本発明の第２ファンに相当し、光源装置４１に対して−Ｚ方向側で、かつ、ダクト７３に対して＋Ｙ方向側に位置するように、当該ダクト７３に設けられる。このファン７４は、＋Ｙ方向側に開口する吸気口７４１から外装筐体２内に冷却気体を吸引して、＋Ｚ方向側に開口する送出口７４２から上記導入口５Ｄ１に当該冷却気体を送出する。これにより、ダクト部材５Ｄ内に冷却気体が導入される。
【００６６】
［光源装置の光出射面を冷却するファン及びダクトの構成］
図１２は、光学部品用筐体４７（部品収納部材４８）、ファン７５、ダクト７６及び光源装置４１を−Ｚ方向側から見た側面図である。
光源装置４１の光出射面４１Ａ及び光学部品に冷却気体を送出するファン７５及びダクト７６は、図１２に示すように、光学部品用筐体４７（部品収納部材４８）に対して−Ｙ方向側に位置する。すなわち、ファン７５及びダクト７６は、底面部２２の内面と部品収納部材４８の底面との間に配置されている。
ファン７５は、本発明の第１ファンに相当し、シロッコファンにより構成されている。このファン７５は、上記光学部品用筐体４７（部品収納部材４８）と、＋Ｙ方向とは反対方向側の外面部としての底面部２２の内面との間に、冷却気体を吸引する吸気口７５１が部品収納部材４８側（＋Ｙ方向側）に開口し、吸引した冷却気体を送出する送出口７５２がダクト７６側（−Ｘ方向側）に開口するように配置される。そして、当該ファン７５は、周囲の冷却気体を吸引して、送出口７５２（図１３参照）を介してダクト７６に送出する。なお、ファン７５は、軸流ファンにより構成することも可能であるが、プロジェクター１の薄型化を考慮した場合、シロッコファンであることが好ましい。
【００６７】
図１３は、ダクト７６を示す斜視図である。図１４は、ダクト７６を＋Ｙ方向側から見た平面図である。図１５は、光学部品用筐体４７、ファン７５、ダクト７６及び光源装置４１のＸＹ平面に沿う断面（図１４におけるＡ−Ａ線における断面）を−Ｚ方向側から見た図である。
ダクト７６は、図１２に示すように、部品収納部材４８における上記照明光学装置４２の配置部位に対して−Ｙ方向側に位置し、ファン７５から送出された冷却気体を、シネマフィルター４２１、調光装置４２３及び光源装置４１の光出射面４１Ａに送出する。このダクト７６は、図１３〜図１５に示すように、導入口７６１、調光装置冷却部７６２、フィルター冷却部７６３及び光源装置冷却部７６４を有する。
これらのうち、導入口７６１は、＋Ｘ方向側に位置し、ファン７５の送出口７５２と接続される。この導入口７６１は、当該送出口７５２から送出された冷却気体をダクト７６の内部に導入する。
【００６８】
調光装置冷却部７６２は、ダクト７６内に導入された冷却気体の一部を、部品収納部材４８の底部に形成された開口部（図示省略）を介して上記調光装置４２３に送出して、当該調光装置４２３を冷却する。
ここで、図１４に概略構成を示すが、調光装置４２３は、通過する光路上に挿抜される上記一対の遮蔽部材４２３１と、当該一対の遮蔽部材４２３１を移動させるモーター及びギア等の移動装置４２３２と、これら遮蔽部材４２３１及び移動装置４２３２を保持する筐体４２３３と、を有する。このような調光装置４２３において、一対の遮蔽部材４２３１は、入射される光によって熱を帯びて劣化する可能性があり、上記移動装置４２３２のモーターは、熱に弱い部材である。このため、これら遮蔽部材４２３１及びモーターは、適切に冷却する必要がある。
【００６９】
調光装置冷却部７６２は、一対の遮蔽部材４２３１に応じた位置から当該遮蔽部材４２３１に近接する方向である＋Ｙ方向に突出する突出部７６２１と、移動装置４２３２（モーター）に応じた位置から当該移動装置４２３２に近接する方向である＋Ｙ方向に突出する突出部７６２３を有する。そして、突出部７６２１には、送出口７６２２が形成され、突出部７６２３には、送出口７６２４が形成されている。そして、送出口７６２２は、図１５に実線の矢印で示すように、ダクト７６内の冷却気体の一部を一対の遮蔽部材４２３１に送出する。また、送出口７６２４は、ダクト７６内の冷却気体の他の一部を移動装置４２３２に送出する。
このような調光装置冷却部７６２により、調光装置４２３は好適に冷却される。
【００７０】
フィルター冷却部７６３は、図１３及び図１４に示すように、調光装置冷却部７６２に対して−Ｘ方向側で、上記シネマフィルター４２１に応じた部位に位置する。このフィルター冷却部７６３は、ダクト７６内に導入された冷却気体の一部を、部品収納部材４８の底部に形成された開口部（図示省略）を介してシネマフィルター４２１に送出して、当該シネマフィルター４２１を冷却する。
ここで、シネマフィルター４２１は、上記フィルター本体４２１１及び駆動装置の他、図１４に示すように、光路上に挿抜されるフィルター本体４２１１の位置を検出するセンサー４２１２，４２１３を有する。これらセンサー４２１２，４２１３は、例えば発光部及び受光部を有するフォトセンサーにより構成され、センサー４２１２は、部品収納部材４８内において、ダクト７６に対して＋Ｙ方向側で＋Ｚ方向側に位置し、センサー４２１３は、同様に＋Ｙ方向側で−Ｚ方向側に配置されている。これらセンサー４２１２，４２１３は、熱に弱い部品であるので、シネマフィルター４２１の安定した動作のためには当該センサー４２１２，４２１３を適切に冷却する必要がある。
【００７１】
フィルター冷却部７６３は、図１３及び図１４に示すように、冷却気体を送出する送出口７６３１，７６３３と、各送出口７６３１，７６３３から送出された冷却気体の流通方向をセンサー４２１２，４２１３に向かわせる整流部７６３２，７６３４と、を有する。
これらのうち、整流部７６３２，７６３４は、フィルター冷却部７６３の略中央にて接続され、送出口７６３１，７６３３における＋Ｙ方向側の端縁を形成する。そして、整流部７６３２は、＋Ｚ方向に向かうに従って＋Ｙ方向に突出するように傾斜しており、整流部７６３４は、−Ｚ方向に向かうに従って＋Ｙ方向に突出するように傾斜している。
このような整流部７６３２により、送出口７６３１から送出された冷却気体は、センサー４２１２に流通し、整流部７６３４により、送出口７６３３から送出された冷却気体は、センサー４２１３に流通する。これら冷却気体によって、センサー４２１２，４２１３は冷却される。
【００７２】
光源装置冷却部７６４は、図１３〜図１５に示すように、ダクト７６において最も−Ｘ方向側に位置し、当該ダクト７６内に導入された冷却気体の一部を、上記光源取付部４９の開口部４９３を介して、光源装置４１の光出射面４１Ａに送出する。
ここで、光源装置４１の光出射面４１Ａ（正面部５３）には、光路上に配置されたシネマフィルター４２１や調光装置４２３の遮蔽部材４２３１等によって反射された光が入射される場合がある。このような光が入射されると、光出射面４１Ａの温度が上昇する。そして、光出射面４１Ａの温度が高くなると、当該光出射面４１Ａに歪みが生じ、光源装置４１から出射される光の中心軸が上記照明光軸Ａｘからずれる可能性がある。
【００７３】
これに対し、光源装置冷却部７６４は、光源装置４１側（＋Ｙ方向側）に突出する突出部７６４１と、当該突出部７６４１における＋Ｙ方向側の端部に形成された送出口７６４２と、を有する。これにより、図１５に実線の矢印で示すように、送出口７６４２から送出された冷却気体は、上記開口部４９３を介して光出射面４１Ａに流通し、当該光出射面４１Ａが冷却される。
【００７４】
［光出射面における冷却気体の流路］
図１６は、光源装置４１の光出射面４１Ａにおける冷却気体の流路を示す図である。
上記ダクト７６により開口部４９３を介して光出射面４１Ａに送出された冷却気体は、図１６に実線の矢印Ｄ１で示すように、当該光出射面４１Ａ（正面部５３）において−Ｙ方向側の端部から＋Ｙ方向側に流通する。
ここで、光源装置４１が光源取付部４９に取り付けられた際には、光出射面４１Ａにおいて−Ｚ方向側に位置するガイド部５３３の＋Ｘ方向側の面は、光源取付部４９の当接部４９１において−Ｚ方向側の部位に当接し、光出射面４１Ａにおいて＋Ｙ方向側に位置する接続部５Ｅ４は、当接部４９１において＋Ｙ方向側の部位に接続される。一方、光出射面４１Ａにおける＋Ｚ方向側の部位には、凹状の排出部５３６が位置する。
このため、光出射面４１Ａに−Ｙ方向側から流通した冷却気体は、−Ｚ方向側及び＋Ｙ方向側に流通することが規制されるため、図１６に実線の矢印Ｄ２で示すように、光出射面４１Ａを冷却しつつ＋Ｚ方向側に流通する。そして、当該冷却気体は、＋Ｚ方向側に位置する排出部５３６を介して、光出射面４１Ａ（正面部５３）と光源取付部４９との間から排出される。この冷却気体は、起立部４９９（図４及び図５参照）により流通方向が−Ｘ方向側に変更され、排気ファン７８によって排気ダクト７７内に導入される。
【００７５】
［排気ダクトの構成］
図１７は、排気ダクト７７を＋Ｙ方向側から見た図である。
排気ダクト７７は、図２に示すように、正面部２３の内面と光源収納部４７Ａとの間に配置され、外装筐体２内を流通して各冷却対象（例えば光源装置４１）を冷却した冷却気体を、上記排気口２３３を介して外装筐体２外に排出するダクトである。この排気ダクト７７内には、図１７に示すように、軸流ファンである排気ファン７８が配置されている。このような排気ダクト７７は、複数の固定部７７１、導入口７７２，７７３及び排気口７７４を有する。
【００７６】
複数の固定部７７１は、排気ダクト７７の外周部分に設けられている。これら固定部７７１は、底面部２２の内面に固定されるねじ（図示省略）が挿通する孔部を有する。
導入口７７２は、排気ダクト７７において−Ｚ方向側の端部に位置する。この導入口７７２を介して、例えば光源装置４１の排気口５５１及び開口部５５２から排出された冷却気体が、排気ダクト７７内に導入される。
導入口７７３は、図１７に示すように、排気ダクト７７における＋Ｙ方向側の面に３つ形成されている。これら導入口７７３を介して、光源装置４１の光出射面４１Ａや他の冷却対象を冷却した冷却気体が、排気ダクト７７内に導入される。なお、図示を省略するが、排気ダクト７７における−Ｙ方向側の面にも３つの導入口が形成され、当該３つの導入口を介しても、外装筐体２内の冷却気体が排気ダクト７７内に導入される。
【００７７】
排気口７７４は、排気ダクト７７における＋Ｚ方向側の端部に形成され、上記排気口２３３と接続される。これら排気口７５５，２３３を介して、排気ファン７８の駆動によって各導入口７７２，７７３を介して排気ダクト７７内に導入された冷却気体が、当該排気ファン７８によって外装筐体２外に排出される。
【００７８】
［実施形態の効果］
以上説明した本実施形態に係るプロジェクター１によれば、以下の効果がある。
第１ファンとしてのファン７５から送出された冷却気体は、外装筐体２からの光源装置４１の抜取方向である＋Ｙ方向（第２方向）とは反対方向側である−Ｙ方向側から光出射面４１Ａに流通される。そして、当該冷却気体は、＋Ｙ方向に沿って光出射面４１Ａを流通して当該光出射面４１Ａを冷却した後、＋Ｚ方向（第３方向）側に光出射面４１Ａから排出される。これによれば、当該冷却気体によって、光出射面４１Ａを冷却できる。従って、光出射面４１Ａ、ひいては、光源装置４１の温度上昇を抑制でき、当該光源装置４１の劣化を抑制できる。特に、光出射面４１Ａに対向配置される光学部品としてのシネマフィルター４２１（フィルター本体４２１１）にて光源装置４１から出射された光の一部が反射され、当該反射光が光出射面４１Ａに入射されて熱を帯びる場合に、当該光出射面４１Ａを上記冷却気体により冷却できることから、当該光出射面４１Ａ、ひいては、光源装置４１を効果的に冷却できる。
【００７９】
シネマフィルター４２１のフィルター本体４２１１が上記のように傾斜していると、当該フィルター本体４２１１にて反射された反射光は、光源装置４１が有する光源としての発光管４１１に戻りにくくなるため、当該発光管４１１が反射光によって加熱されることが抑制される。しかしながら、当該反射光は、光出射面４１Ａにおいて−Ｙ方向側の部位に入射されやすくなるため、当該光出射面４１Ａにおいては、−Ｙ方向側の部位の温度が他の部位に比べて高くなりやすい。
これに対し、ファン７５から送出された冷却気体は、光出射面４１Ａにおいて−Ｙ方向側から＋Ｙ方向に沿って流通する。これよれば、光出射面４１Ａに沿って流通する前の比較的温度が低い冷却気体によって、当該光出射面４１Ａにおいて温度が高くなりやすい部位を冷却できる。従って、光出射面４１Ａ、ひいては、光源装置４１を効果的に冷却できる。
【００８０】
第２ファンとしてのファン７４は、光源装置４１に対して−Ｚ方向側に配置され、上記配置部４８６は、光源装置４１から出射される光の中心軸に対して＋Ｚ方向側に位置する。そして、光源装置４１は、外装筐体２から＋Ｙ方向に沿って抜き取られる。このように、光源装置４１の周囲に、プロジェクター１の構成部品が配置されると、当該構成部品を密に配置できる反面、光出射面４１Ａを冷却する冷却気体の流路が制限される。
これに対し、ファン７５から送出された冷却気体は、上記のように−Ｙ方向側から光出射面４１Ａに流通されて、当該光出射面４１Ａを冷却した後、＋Ｚ方向側に排出されることから、当該光出射面４１Ａを冷却する冷却気体の流路を確保できる。従って、光出射面４１Ａ、ひいては、光源装置４１を確実に冷却できる。
【００８１】
光源装置４１は、発光管４１１と、当該発光管４１１の中心軸が＋Ｘ方向に沿うように発光管４１１を収容する収容体５と、を備える。この収容体５は、光出射面４１Ａを有し、発光管４１１を収容する収容体本体５Ａと、発光管４１１の中心軸を中心とする周方向に沿って収容体本体５Ａに設けられ、内部に導入された冷却気体を発光管４１１に導くダクト部材５Ｄと、を備える。このダクト部材５Ｄの終端部分である折返部５Ｄ３３は、収容体本体５Ａの＋Ｙ方向側に位置する天面部５１において発光部４１１１より＋Ｘ方向側に位置している。これによれば、ダクト部材５Ｄ内に導入された冷却気体は、収容体本体５Ａにおける＋Ｙ方向側から発光管４１１に導かれる。このため、当該天面部５１が発光管４１１に対して鉛直方向上側に位置している場合に、当該発光管４１１において温度が高くなりやすい鉛直方向上部（特に発光部４１１１における鉛直方向上部）に冷却気体を導くことができる。従って、当該発光管４１１を効果的に冷却できる。
【００８２】
また、折返部５Ｄ３３が天面部５１において、発光部４１１１より＋Ｘ方向側に位置していることから、上記収容体５の構成では、光出射面４１Ａを冷却した冷却気体を＋Ｙ方向側に排出しようとすると、当該冷却気体の流路が上記ダクト部材５Ｄによって遮られるため、当該冷却気体を効率よく排出しづらい。これに対し、光出射面４１Ａを冷却した冷却気体は＋Ｚ方向側に排出されるので、ダクト部材５Ｄによって遮られることなく、当該冷却気体を排出できる。従って、当該冷却気体を効率よく排出でき、これにより、光出射面４１Ａを効率よく冷却できる。
【００８３】
光源装置４１は、発光管４１１から出射された光を平行化する平行化レンズ４１３と、平行化レンズ４１３を光出射面４１Ａに取り付ける取付部材５Ｅと、を備える。そして、収容体本体５Ａは、上記折返部５Ｄ３３に対して＋Ｚ方向側及び−Ｚ方向側にそれぞれ位置し、取付部材５Ｅを係止する係止部５３１を有する。これによれば、係止部５３１が、折返部５Ｄ３３に対して＋Ｘ方向側に位置する場合に比べて、当該折返部５Ｄ３３を＋Ｘ方向側に一層拡大できる。このため、当該折返部５Ｄ３３内の空間を拡大できるので、ダクト部材５Ｄ内を流通する冷却気体の流路抵抗を低減でき、当該冷却気体の流量、ひいては、発光管４１１に送出される冷却気体の流量を増加させることができる。従って、発光管４１１をより効果的に冷却でき、当該発光管４１１の劣化をより効果的に抑制できる。なお、折返部５Ｄ４３に対して＋Ｚ方向側及び−Ｚ方向側にそれぞれに係止部５３１が位置することによっても、当該折返部５Ｄ４３内の空間を拡大できることから、上記と同様の効果を奏することができる。
【００８４】
ファン７５は、光学部品用筐体４７（部品収納部材４８）と、外装筐体２において−Ｙ方向側に位置する底面部２２との間に配置されている。これによれば、光出射面において−Ｙ方向側の部位に冷却気体を送出しやすい位置にファン７５を配置できる。この他、外装筐体２内のスペースを有効に活用してファン７５を配置できるので、外装筐体２の大型化を抑制できる。
【００８５】
光源装置４１は、光出射面４１Ａにおいて−Ｚ方向側で＋Ｙ方向側に位置し、上記光源取付部４９の固定部４９７に固定される固定部５３５と、光出射面４１Ａにおいて−Ｚ方向側で−Ｙ方向側に位置し、当該光源取付部４９の孔部４９５に挿入される位置決め突起５３２と、光出射面４１Ａにおいて固定部５３５及び位置決め突起５３２の間に＋Ｙ方向に沿って配置され、当該光源取付部４９の溝部４９６１に挿入される突条部５３３１と、を有する。これによれば、光源取付部４９、ひいては、光学部品用筐体４７に光源装置４１を確実に取り付けることができる。
ここで、光出射面４１Ａに流通された冷却気体は、突条部５３３１が上記溝部４９６１に挿入されることにより、−Ｚ方向側への流通が規制される。これに対し、冷却気体は、＋Ｚ方向側に流通して排出部５３６を介して排出されるので、当該冷却気体を滞りなく光出射面４１Ａから排出できる。従って、冷却気体を円滑に流通させることができ、光出射面４１Ａ、ひいては、光源装置４１を効率よく冷却できる。
【００８６】
光源装置４１は、＋Ｚ方向側で＋Ｙ方向側に位置し、上記光源取付部４９の溝部４９８に挿入される挿入部５３４と、光出射面４１Ａにおける＋Ｚ方向側の部位に凹状に形成され、光出射面４１Ａを冷却した冷却気体を排出する排出部５３６と、を有する。これによれば、−Ｙ方向側に向かって光源装置４１を外装筐体２内の光源収納部４７Ａ内に挿入する際に、挿入部５３４を溝部４９８に挿入しやすくすることができる。そして、当該挿入部５３４が溝部４９８に挿入されることにより、光源装置４１を光学部品用筐体４７（部品収納部材４８）に対して位置決めできる。従って、光源装置４１を光学部品用筐体４７に取り付けやすくすることができる。
そして、光出射面４１Ａにおいて冷却気体の排出側である＋Ｚ方向側の部位には、凹状に形成された排出部５３６が位置する。これによれば、挿入部５３４が上記溝部４９８に挿入されて、光出射面４１Ａと光源取付部４９とが互いに近い位置に対向配置されても、当該排出部５３６を介して、光出射面４１Ａに沿って流通した冷却気体を確実に＋Ｚ方向側に排出できる。従って、冷却気体を滞りなく光出射面４１Ａから排出でき、冷却気体を円滑に流通させることができるので、光出射面４１Ａ、ひいては、光源装置４１を効率よく冷却できる。
【００８７】
外装筐体２内における光源装置４１に対する＋Ｚ方向側の部位には、排出部５３６から排出されて内部に導入された冷却気体を外装筐体２外に排出する排気ダクト７７が配置されている。このような構成によれば、光出射面４１Ａを冷却して＋Ｚ方向側に排出された冷却気体を排気ダクト７７内に流通させやすくすることができる。このため、当該冷却気体が外装筐体２内にて拡散されることを抑制でき、熱を帯びた冷却気体を速やかに外装筐体２外に排出できる。従って、光源装置４１を効率よく冷却できる他、外装筐体２内の温度を低く維持でき、外装筐体２内に配置されたプロジェクター１の構成部品に熱が伝導されることを抑制できる。
【００８８】
光源装置４１は、光出射面４１Ａにおいて＋Ｙ方向側の部位に位置し、上記光源取付部４９の当接部４９１（枠部４９１１）に接続される接続部５Ｅ４を有する。これによれば、光学部品用筐体４７（光源取付部４９）に精度よく光源装置４１を組み合わせることができる。このような当接部４９１が設けられている場合でも、光出射面４１Ａを冷却した冷却気体は、当該光出射面４１Ａにおいて＋Ｚ方向側に流通して排出されるので、当該冷却気体を光出射面４１Ａから滞りなく排出できる。
【００８９】
ファン７５から送出された冷却気体が導入されるダクト７６は、導入された冷却気体の一部を光出射面４９Ａにおける−Ｙ方向側の部位に導いて光出射面４１Ａに送出する第１送出口としての送出口７６４２と、導入された冷却気体の他の一部を上記シネマフィルター４２１に導く第２送出口としての送出口７６３１，７６３３と、を有する。これによれば、これら光源装置４１及びシネマフィルター４２１に冷却気体を確実に送出できる。従って、これら光源装置４１と、光学部品としてのシネマフィルター４２１とを確実に冷却できる。
【００９０】
［実施形態の変形］
本発明は、上記実施形態に限定されるものではなく、本発明の目的を達成できる範囲での変形、改良等は本発明に含まれるものである。
上記実施形態では、光源装置４１は、天面部２１に形成された開口部２１１を介して±Ｙ方向に沿って外装筐体２内に挿抜されるとした。そして、光源装置４１の光出射面４１Ａには、光源装置４１の引抜方向である＋Ｙ方向とは反対側から＋Ｙ方向に沿って冷却気体が流通し、当該冷却気体は光出射面４１Ａを冷却した後、光源装置の光出射方向である＋Ｘ方向と上記＋Ｙ方向とに直交する＋Ｚ方向に沿って排出されるとした。しかしながら、これに限らない。例えば、光源装置４１は、底面部２２に形成された開口部を介して外装筐体２内に挿抜されてもよい。この場合、光源装置４１の引抜方向は、−Ｙ方向に沿う方向となるが、この場合、光出射面４１Ａに流通される冷却気体は、＋Ｙ方向側から−Ｙ方向に沿って流通してもよく、上記と同様に、−Ｙ方向側から＋Ｙ方向に沿って流通してもよい。また、光出射面４１Ａを冷却した冷却気体の排出方向も、＋Ｚ方向側でも−Ｚ方向側でもよい。更に、光出射面４１Ａを冷却する冷却気体の流通方向は、＋Ｙ方向及び＋Ｚ方向に対して所定角度傾斜していてもよい。
【００９１】
上記実施形態では、光出射面４１Ａに対向配置される光学部品は、シネマフィルター４２１であり、当該シネマフィルター４２１は、＋Ｙ方向側の端部が−Ｙ方向側の端部より光出射面４１Ａに近くなるように、ＹＺ平面に対して傾斜しているとした。しかしながら、このように配置され、入射される光の一部を透過させ、他の一部を反射させる光学部品は、シネマフィルター４２１に限らず、他の特性を有するフィルターであってもよい。
【００９２】
上記実施形態では、シネマフィルター４２１は、フィルター本体４２１１が＋Ｚ方向に沿って進退可能に構成され、当該フィルター本体４２１１が光源装置４１から出射された光の光路から外れた際に配置される配置部４８６が、当該光路に対して＋Ｚ方向側に位置するとした。しかしながら、これに限らず、シネマフィルター４２１は、当該光路上に常に配置される構成としてもよく、また、進退可能に構成される場合でも、フィルター本体４２１１の移動方向は、＋Ｚ方向に沿う方向でなくてもよい。また、上記配置部４８６の位置も、当該光路に対して＋Ｚ方向でなくてもよく、フィルター本体４２１１の移動方向に応じて位置していればよい。例えば、配置部４８６は、当該光路に対して−Ｚ方向側に位置していてもよい。
また、第２ファンとしてのファン７４は、光源装置４１に対して−Ｚ方向側に位置するとしたが、＋Ｘ方向側等、他の方向側に位置していてもよい。
【００９３】
上記実施形態では、ファン７５は、光学部品用筐体４７（部品収納部材４８）と、底面部２２の内面との間に、ダクト７６とともに配置されるとした。しかしながら、これに限らず、冷却気体が光出射面４１Ａにおける光源装置４１の引抜方向とは反対方向側から流通すれば、これらファン７５及びダクト７６の配置位置は問わない。
【００９４】
上記実施形態では、光源装置４１に対する＋Ｚ方向側には、光出射面４１Ａを冷却した冷却気体が導入される排気ダクト７７が配置され、当該排気ダクト７７は、内部に導入された冷却気体を外装筐体２外に排出するとした。しかしながら、これに限らず、排気ダクト７７はなくてもよい。例えば、排気口２３３の内側に配置されたファンによって、光出射面４１Ａを冷却した冷却気体が吸引されて外装筐体２外に排出される構成としてもよい。すなわち、排気ダクト７７は必須ではない。
【００９５】
上記実施形態では、光出射面４１Ａにおける＋Ｙ方向側に位置し、当接部４９１（枠部４９１１）における＋Ｙ方向側の部位と接続される接続部５Ｅ４は、平行化レンズ４１３を収容体本体５Ａに取り付ける取付部材５Ｅに位置するとした。しかしながら、これに限らず、当該接続部は、光出射面４１Ａに位置していればよく、取付部材５Ｅになくてもよい。また、光出射面４１Ａを冷却した冷却気体の大部分が第３方向側（＋Ｚ方向側）に流通すれば、接続部は必ずしもなくてもよい。
【００９６】
上記実施形態では、光源装置４１の収容体５は、位置決め突起５３２、突条部５３３１、挿入部５３４及び固定部５３５を有するとした。そして、排出部５３６は、位置決め突起５３２及び固定部５３５の間に位置するとした。しかしながら、これに限らず、光源装置４１（収容体５）は、これら位置決め突起５３２、突条部５３３１、挿入部５３４及び固定部５３５のうち、少なくともいずれかが無くてもよい。
【００９７】
また、排出部５３６は、光出射面４１Ａにおいて第１方向とは反対方向側である−Ｘ方向側に凹む凹状に形成されているとした。しかしながら、これに限らず、光出射面４１Ａと光源取付部４９との間から冷却気体を排出できれば、排出部５３６の構成は問わない。例えば、位置決め突起５３２及び固定部５３５が光出射面４１Ａより＋Ｘ方向側に突出していれば、これら位置決め突起５３２及び固定部５３５との間の空間を介して冷却気体を、光出射面４１Ａと光源取付部４９との間から外側に流通させることができるので、当該空間を排出部として利用してもよい。また例えば、光出射面４１Ａを冷却した冷却気体を収容体５内に導入する導入口を排出部として採用し、当該冷却気体が、例えば発光管４１１（発光部４１１１）を冷却した冷却気体とともに排気口５５１を介して排出される構成としてもよい。
【００９８】
上記実施形態では、光源取付部４９は、排出部５３６から排出された冷却気体の流通方向を変更する起立部４９９を流路変更部として有するとした。しかしながら、これに限らず、このような起立部４９９は無くてもよい。また、当該冷却気体の流通方向を変更する流路変更部は、変更される流通方向に合わせて他の部材に設けてもよい。例えば、このような流通方向変更部が、底面部２２の内面に立設されていてもよい。
【００９９】
上記実施形態では、ダクト７６は、ファン７５から送出された冷却気体を、光出射面４１Ａの他、光学部品としてのシネマフィルター４２１と、調光装置４２３とに導くとした。しかしながら、これに限らず、当該ダクト７６は、光出射面４１Ａのみに冷却気体を導く構成としてもよく、光出射面４１Ａとシネマフィルター４２１とに冷却気体を導く構成としてもよい。また、ダクト７６は、調光装置４２３に代えて、或いは、加えて、他の光学部品に冷却気体を導く構成であってもよい。
更に、このようなダクト７６は無くてもよく、外装筐体２内を流通する冷却気体が、光出射面４１Ａに沿って流通可能であればよい。
【０１００】
上記実施形態では、平行化レンズ４１３を光出射面４１Ａに押さえる取付部材５Ｅを係止する係止部５３１は、第１導風部５Ｄ３及び第２導風部５Ｄ４の折返部５Ｄ３３，５Ｄ４３を＋Ｚ方向側及び−Ｚ方向側から挟む位置に配置されているとした。しかしながら、これに限らず、係止部５３１は、折返部５Ｄ３３，５Ｄ４３に対して＋Ｚ方向側及び−Ｚ方向側のいずれか一方側にのみ設けられていてもよい。また、係止部５３１は、光出射面４１Ａにおける＋Ｚ方向側の部位に、＋Ｚ方向側に突出するように設けられていてもよく、−Ｚ方向側の部位に、−Ｚ方向側に突出するように設けられていてもよい。
更に、取付部材５Ｅが光出射面４１Ａに押さえるレンズは、入射される光を平行化して出射するレンズである平行化レンズ４１３でなくてもよく、例えば、入射される光を集約させる集光レンズであってもよい。
【０１０１】
上記実施形態では、ダクト部材５Ｄが有する第１導風部５Ｄ３及び第２導風部５Ｄ４は、折返部５Ｄ３３，５Ｄ４３を有するとした。そして、これら折返部５Ｄ３３，５Ｄ４３に応じた第１本体部５Ｂの部位には、＋Ｚ方向に流通した冷却気体を＋Ｘ方向側に流通させた後、−Ｘ方向に流通させて発光管４１１に送出する起立部５Ｂ１及び開口部５Ｂ２を有するとした。しかしながら、これに限らず、このような折返部５Ｄ３３，５Ｄ４３及び起立部５Ｂ１は無くてもよい。すなわち、第１導風部５Ｄ３及び第２導風部５Ｄ４を流通した冷却気体を発光管４１１に送出できれば、当該導風部５Ｄ３，５Ｄ４を有するダクト部材５Ｄ及び第１本体部５Ｂの構造は問わず、冷却気体の流通方向も問わない。
更に、第１導風部５Ｄ３及び第２導風部５Ｄ４において、折返部５Ｄ３３，５Ｄ４３の有無に関わらず、これら導風部５Ｄ３，５Ｄ４における＋Ｘ方向側の端面は、光出射面４１Ａ（正面部５３）と面一となる必要は無く、当該光出射面４１Ａより−Ｘ方向側（背面部５４側）に位置していてもよい。
【０１０２】
上記実施形態では、プロジェクター１は、光変調装置として３つの液晶パネル４５３（４５３Ｂ，４５３Ｇ，４５３Ｒ）を備えるとした。しかしながら、これに限らず、２つ以下、あるいは、４つ以上の液晶パネルを備えたプロジェクターにも、本発明を適用可能である。
上記実施形態では、画像形成装置４は平面視略Ｌ字形状を有する構成とした。しかしながら、これに限らず、画像形成装置４は、例えば平面視略Ｕ字形状を有する構成等、他の形状を有する構成としてもよい。また、画像形成装置４に適用される光学部品も、上記に限らず、適宜変更可能である。
【０１０３】
上記実施形態では、光変調装置として、光入射面と光出射面とが異なる透過型の液晶パネル４５３を採用した。しかしながら、これに限らず、光変調装置として、光入射面と光出射面とが同一となる反射型の液晶パネルを採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
上記実施形態では、光源装置４１は、光源としての発光管４１１と、当該発光管４１１から出射された光を反射させる反射鏡である主反射鏡４１２とを有する構成とした。しかしながら、これに限らず、光源としてＬＥＤ（Light Emitting Diode）やＬＤ（Laser Diode）等の固体光源を有する構成としてもよい。また、発光管４１１が採用される場合には、上記発光部４１１１において主反射鏡４１２側とは反対側の部分を覆い、当該発光部４１１１から入射される光を主反射鏡４１２側に反射させる副反射鏡を設けてもよい。更に、光源装置の数は２つ以上でもよい。
【０１０４】
上記実施形態では、光源装置４１と、光源装置４１の光出射面４１Ａに冷却気体を送出するファン７５及びダクト７６と、をプロジェクター１に適用した。しかしながら、このような構成は、プロジェクターに限らず、照明装置等の他の電子機器に適用してもよい。
【符号の説明】
【０１０５】
１…プロジェクター、２…外装筐体、２２…底面部（外面部）、４１…光源装置、４１１…発光管、４１３…平行化レンズ、４１Ａ…光出射面、４２１…シネマフィルター（光学部品）、４５３（４５３Ｂ，４５３Ｇ，４５３Ｒ）…液晶パネル（光変調装置）、４６…投射光学装置、４７…光学部品用筐体、４８６…配置部、５…収容体、５１…天面部、５２…底面部、５３…正面部、５５…左側面部、５６…右側面部、５Ａ…収容体本体、５３１…係止部、５３２…位置決め突起、５３３…ガイド部、５３３１…突条部、５３４…挿入部、５３５…固定部、５３６…排出部、５Ｄ…ダクト部材、５Ｄ３…第１導風部、５Ｄ３３…折返部（終端部分）、５Ｄ４…第２導風部、５Ｄ４３…折返部、５Ｅ…取付部材、５Ｅ３…開口部、５Ｅ４…接続部、７４…ファン（第２ファン）、７５…ファン（第１ファン）、７６…ダクト、７６４２…送出口（第１送出口）、７６３１，７６３３…送出口（第２送出口）、７７…排気ダクト、Ｄ１，Ｄ２…矢印、ＳＣ…ねじ。
【図１】
2017181713.tif 000003
【図２】
2017181713.tif 000004
【図３】
2017181713.tif 000005
【図４】
2017181713.tif 000006
【図５】
2017181713.tif 000007
【図６】
2017181713.tif 000008
【図７】
2017181713.tif 000009
【図８】
2017181713.tif 000010
【図９】
2017181713.tif 000011
【図１０】
2017181713.tif 000012
【図１１】
2017181713.tif 000013
【図１２】
2017181713.tif 000014
【図１３】
2017181713.tif 000015
【図１４】
2017181713.tif 000016
【図１５】
2017181713.tif 000017
【図１６】
2017181713.tif 000018
【図１７】
2017181713.tif 000019